(57)【要約】  【課題】  直径、長さが異なる乾電池を収納できる乾電池収納装置において、収納スペースの小型化を可能とし、乾電池の確実な保持を可能とした構造を提供すること。  【解決手段】  乾電池収納部２の第一乾電池を保持する第一保持部２ａ及び第二乾電池を保持する第二保持部２ｂと、電池蓋６の前記第一乾電池を押さえる第一押さえ部６ｂａ及び前記第二乾電池を押さえる第二押さえ部６ｂｂと、前記第一保持部２ａと前記第一押さえ部６ｂａによる第一収納領域と、前記第二保持部２ｂと前記第二押さえ部６ｂｂによる第二収納領域と、前記第二収納領域内で第三乾電池を保持する第一保持部材２ｄ及び第二保持部材６ｃとを備え、前記第一収納領域と前記第二収納領域を互いに重なり合わせ、前記第一保持部材２ｄ及び前記第二保持部材６ｃが前記第一収納領域と前記第二収納領域を移動可能に支持するようにした。【選択図】  図５
2006114460.tif 000002
【特許請求の範囲】
【請求項１】
第一乾電池、第二乾電池、第三乾電池を収納する乾電池収納部と、前記第一乾電池、前記第二乾電池、前記第三乾電池を出し入れする開口部と、前記開口部を覆い、前記乾電池収納部に収納される前記第一乾電池、前記第二乾電池、前記第三乾電池を押さえる電池蓋と、前記乾電池収納部に設けた前記第一乾電池を保持する第一保持部及び前記第二乾電池を保持する第二保持部と、前記電池蓋に設けた前記第一乾電池を押さえる第一押さえ部及び前記第二乾電池を押さえる第二押さえ部と、前記第一保持部と前記第一押さえ部で形成される第一収納領域と、前記第二保持部と前記第二押さえ部で形成される第二収納領域と、前記乾電池収納部に設けた前記第二収納領域内で前記第三乾電池を保持する第一保持部材と、前記電池蓋に設けた前記第二収納領域内で前記第三乾電池を保持する第二保持部材とを備え、前記第一収納領域と前記第二収納領域の一部が互いに重なり合うように配置され、前記第一保持部材及び前記第二保持部材が前記第一収納領域と前記第二収納領域を移動可能に支持されることを特徴とする乾電池収納装置。
【請求項２】
前記第一乾電池を収納する場合、前記第一保持部材を前記第二保持部側に移動し、前記第二保持部材を前記第二押さえ部側に移動し、前記第一保持部と前記第一押さえ部によって前記第一乾電池を保持することを特徴とする請求項１記載の乾電池収納装置。
【請求項３】
前記第二乾電池を収納する場合、前記第一保持部材を前記第一保持部側に移動し、前記第二保持部材を前記第一押さえ部側に移動し、前記第二保持部と前記第二押さえ部によって前記第二乾電池を保持することを特徴とする請求項１記載の乾電池収納装置。
【請求項４】
前記第一保持部材に第一保持面を、前記第二保持部材に第二保持面をそれぞれ設け、前記第三乾電池を収納する場合、前記第一保持部材を前記第二保持部側に移動し、前記第二保持部材を前記第二押さえ部側に移動し、前記第一保持部材の前記第一保持面と前記第二保持部材の前記第二保持面によって前記第三乾電池を挟持することを特徴とする請求項１記載の乾電池収納装置。
【請求項５】
前記第一保持部に第一開口部を、前記第二保持部に第二開口部をそれぞれ設け、前記第一収納領域内に前記第一開口部から突出する第一突出部と、前記第二収納領域内に前記第二開口部から突出する第二突出部を備えた同時収納防止部材を設け、前記同時収納防止部材は、前記第一収納領域に前記第一乾電池を収納した時、前記第二突出部が前記第二収納領域内に突出され、前記第二収納領域に前記第二乾電池を収納した時、前記第一突出部が前記第一収納領域内に突出されるように回動可能に支持されることを特徴とする請求項１乃至請求項４のいずれかに記載の乾電池収納装置。
【請求項６】
前記第一保持部材に前記第三乾電池の前記第一保持面に対し、同第一保持面と反対方向に突出する第三突出部を設け、前記同時収納防止部材は、前記第二収納領域に前記第三乾電池を収納した時、前記第二突出部が前記第三突出部で押し当てられ、前記第一突出部が前記第一収納領域内に突出されるように回動可能に支持されることを特徴とする請求項５記載の乾電池収納装置。
【請求項７】
前記第一保持部及び前記第一押さえ部を前記第一乾電池の外形に応じた曲面形状とし、前記第二保持部及び前記第二押さえ部を前記第二乾電池の外形に応じた曲面形状とし、前記第一保持部材及び前記第二保持部材を前記第三乾電池の外形に応じた曲面形状としたことを特徴とする請求項１乃至請求項６のいずれかに記載の乾電池収納装置。
【請求項８】
請求項１乃至請求項７のいずれかに記載の乾電池収納装置を備えた電子機器。
【発明の詳細な説明】
【技術分野】
【０００１】
本発明は、直径、長さが異なる乾電池を収納できるようにした乾電池収納装置及びこの乾電池収納装置を備えた電子機器に関するものであり、より詳細には、乾電池の交換を容易にするとともに収納スペースの小型化を可能とし、乾電池収納装置内での乾電池の確実な保持を可能とする構造に関する。
【背景技術】
【０００２】
従来より、直径、長さが異なる乾電池を収納できるようにした乾電池収納装置が知られており、乾電池のサイズに合わせて、アダプタやスペーサを組合わせて収納する方法が採られている（例えば、特許文献１参照。）。
【０００３】
この方法では、前記特許文献１の図１に示すように、ケース本体に負極アダプタとスペーサを装着することによって、前記負極アダプタと前記スペーサの装着方向を変更し、単一形乾電池から単三形乾電池のいずれも収納できるようにした乾電池ケースを構成している。
【０００４】
前記乾電池ケースによれば、前記単一形乾電池から前記単三形乾電池のいずれも使用できるが、前記負極アダプタと前記スペーサの装着方向を変更しなければならず、装着方向の変更に不慣れな人にとっては、乾電池の交換に手間取ってしまう問題点があった。
【０００５】
この問題点を解決したものとしては、前記負極アダプタや前記スペーサを使用せず、その装着方向の変更を不要にした乾電池収納装置も実現されている（例えば、特許文献２参照。）。
【０００６】
前記特許文献２の図１及び図２に示すように、電子機器に前記単一形乾電池が収納可能な凹部と、単二形乾電池が収納可能な凹部からなる電池収納用開口部を設け、前記電池収納用開口部内には、前記単三形乾電池が収納される凹部を有し両端に回転軸を有し回動可能に配設された電池切替レバーと、両端に回転軸を有し回動可能に配設された同時収納禁止レバーを設けた構造となっており、前記電池切替レバーを回動することにより、前記単一形乾電池から前記単三形乾電池のいずれも収納できるようにした電池収納構造を構成している。
【０００７】
前記電池収納構造によれば、前記電池収納用開口部が乾電池を横方向に収納できる構成となっているので、乾電池の交換を容易にすることができるが、前記単一形乾電池が収納可能な凹部と、前記単二形乾電池が収納可能な凹部とは独立した収納空間となっているので、前記特許文献１の前記乾電池ケースに比べて、前記電池収納構造に大きな占有スペースをとってしまい、前記電池収納構造を備える前記電子機器の小型化が図れないという問題点があった。
【０００８】
また、前記単一形乾電池を収納した状態では、前記単一形乾電池が収納可能な凹部の壁面に、前記電池切替レバーと前記同時収納禁止レバーの回動が阻害されないように溝が形成され、前記同時収納禁止レバーにより前記単一形乾電池を上から押さえていないので、乾電池の収納状態が不安定となる恐れがあり、特に、前記電子機器を携帯してひっくり返した場合に位置ずれを起こしたり、横方向直列に３本の前記単一形乾電池を収納した場合に真ん中の前記単一形乾電池が飛び出してしまって、前記電池収納構造での乾電池の確実な保持ができないという問題点があった。
【０００９】
【特許文献１】特開２００２−０４２７５６号公報（第２頁、第１図）
【特許文献２】特開２００１−２２９８９４号公報（第５頁、第１図〜第２図）
【発明の開示】
【発明が解決しようとする課題】
【００１０】
本発明は上記問題点に鑑み、直径、長さが異なる乾電池を収納できるようにした乾電池収納装置及びこの乾電池収納装置を備えた電子機器において、別体のアダプタやスペーサを必要とせず、乾電池の交換を容易にするとともに収納スペースの小型化を可能とし、乾電池収納装置内での乾電池の確実な保持を可能とした構造を提供することを目的とする。
【課題を解決するための手段】
【００１１】
本発明は上記課題を解決するため、第一乾電池、第二乾電池、第三乾電池を収納する乾電池収納部と、前記第一乾電池、前記第二乾電池、前記第三乾電池を出し入れする開口部と、前記開口部を覆い、前記乾電池収納部に収納される前記第一乾電池、前記第二乾電池、前記第三乾電池を押さえる電池蓋と、前記乾電池収納部に設けた前記第一乾電池を保持する第一保持部及び前記第二乾電池を保持する第二保持部と、前記電池蓋に設けた前記第一乾電池を押さえる第一押さえ部及び前記第二乾電池を押さえる第二押さえ部と、前記第一保持部と前記第一押さえ部で形成される第一収納領域と、前記第二保持部と前記第二押さえ部で形成される第二収納領域と、前記乾電池収納部に設けた前記第二収納領域内で前記第三乾電池を保持する第一保持部材と、前記電池蓋に設けた前記第二収納領域内で前記第三乾電池を保持する第二保持部材とを備え、前記第一収納領域と前記第二収納領域の一部が互いに重なり合うように配置され、前記第一保持部材及び前記第二保持部材が前記第一収納領域と前記第二収納領域を移動可能に支持されることを特徴とする構成となっている。
【００１２】
また、前記第一乾電池を収納する場合、前記第一保持部材を前記第二保持部側に移動し、前記第二保持部材を前記第二押さえ部側に移動し、前記第一保持部と前記第一押さえ部によって前記第一乾電池を保持することを特徴とする構成となっている。
【００１３】
また、前記第二乾電池を収納する場合、前記第一保持部材を前記第一保持部側に移動し、前記第二保持部材を前記第一押さえ部側に移動し、前記第二保持部と前記第二押さえ部によって前記第二乾電池を保持することを特徴とする構成となっている。
【００１４】
また、前記第一保持部材に第一保持面を、前記第二保持部材に第二保持面をそれぞれ設け、前記第三乾電池を収納する場合、前記第一保持部材を前記第二保持部側に移動し、前記第二保持部材を前記第二押さえ部側に移動し、前記第一保持部材の前記第一保持面と前記第二保持部材の前記第二保持面によって前記第三乾電池を挟持することを特徴とする構成となっている。
【００１５】
また、前記第一保持部に第一開口部を、前記第二保持部に第二開口部をそれぞれ設け、前記第一収納領域内に前記第一開口部から突出する第一突出部と、前記第二収納領域内に前記第二開口部から突出する第二突出部を備えた同時収納防止部材を設け、前記同時収納防止部材は、前記第一収納領域に前記第一乾電池を収納した時、前記第二突出部が前記第二収納領域内に突出され、前記第二収納領域に前記第二乾電池を収納した時、前記第一突出部が前記第一収納領域内に突出されるように回動可能に支持されることを特徴とする構成となっている。
【００１６】
また、前記第一保持部材に前記第三乾電池の前記第一保持面に対し、同第一保持面と反対方向に突出する第三突出部を設け、前記同時収納防止部材は、前記第二収納領域に前記第三乾電池を収納した時、前記第二突出部が前記第三突出部で押し当てられ、前記第一突出部が前記第一収納領域内に突出されるように回動可能に支持されることを特徴とする構成となっている。
【００１７】
また、前記第一保持部及び前記第一押さえ部を前記第一乾電池の外形に応じた曲面形状とし、前記第二保持部及び前記第二押さえ部を前記第二乾電池の外形に応じた曲面形状とし、前記第一保持部材及び前記第二保持部材を前記第三乾電池の外形に応じた曲面形状としたことを特徴とする構成となっている。
【００１８】
更に、前述の構成からなる乾電池収納装置を電子機器に備えたことを特徴としている。
【発明の効果】
【００１９】
本発明によれば、直径、長さが異なる第一乾電池から第三乾電池のいずれも収納できるようにした乾電池収納装置において、乾電池の交換を容易にするとともに収納スペースの小型化を可能とし、前記乾電池収納装置内での乾電池の確実な保持を可能とした構造を実現することができる。
【００２０】
また、本発明によれば、前記第一乾電池を収納した時、前記第一保持部と前記第一押さえ部によって前記第一乾電池の確実な保持を実現することができる。
【００２１】
また、本発明によれば、前記第二乾電池を収納した時、前記第二保持部と前記第二押さえ部によって前記第二乾電池の確実な保持を実現することができる。
【００２２】
また、本発明によれば、前記第三乾電池を収納した時、前記第一保持部材の前記第一保持面と前記第二保持部材の前記第二保持面によって前記第三乾電池の確実な保持を実現することができる。
【００２３】
また、本発明によれば、前記同時収納防止部材を設けたことにより、前記第一収納領域に前記第一乾電池を収納した時、前記第二突出部を前記第二収納領域内へ突出させ、前記第二乾電池の前記第二収納領域内への同時収納を防止し、前記第二収納領域に前記第二乾電池を収納した時、前記第一突出部を前記第一収納領域内へ突出させ、前記第一乾電池の前記第一収納領域内への同時収納を防止することができる。
【００２４】
そして、同時収納を防止した結果、前記第一乾電池と前記第二乾電池同士で充電されるのを防止し、前記第一乾電池と前記第二乾電池の不良発生を起こさないようにすることができる。
【００２５】
また、本発明によれば、前記第一保持部材に前記第三突出部を設けたことにより、前記第二収納領域に前記第三乾電池を収納した時、前記第三突出部を前記第二突出部に押し当て、前記第一突出部を前記第一収納領域内に突出させ、前記第一乾電池の前記第一収納領域内への同時収納を防止することができる。
【００２６】
そして、同時収納を防止した結果、前記第一乾電池と前記第三乾電池同士で充電されるのを防止し、前記第一乾電池と前記第三乾電池の不良発生を起こさないようにすることができる。
【００２７】
そして、本発明によれば、前記第一収納領域に前記第一乾電池を収納した時には、前記第二突出部を前記第二収納領域内に突出させ、同第二突出部を前記第三突出部に押し当てることにより、前記第一保持部材が前記第二保持部材よりも上部に配置され、前記第三乾電池の前記第二収納領域内への同時収納を防止することができる。
【００２８】
そして、同時収納を防止した結果、前記第一乾電池と前記第三乾電池同士で充電されるのを防止し、前記第一乾電池と前記第三乾電池の不良発生を起こさないようにすることができる。
【００２９】
また、本発明によれば、前記第一保持部、前記第一押さえ部、前記第二保持部、前記第二押さえ部、前記第一保持部材及び前記第二保持部材を、前記第一乾電池から前記第三乾電池それぞれの外形に応じた曲面形状としたことにより、前記第一乾電池から前記第三乾電池それぞれのより確実な保持を実現することができる。
【００３０】
更に、本発明によれば、前記乾電池収納装置を電子機器に備えたことにより、前記電子機器の小型化を実現することができる。
【発明を実施するための最良の形態】
【００３１】
以下、本発明の実施の形態を、添付図面に基づいた実施例として詳細に説明する。図１は本発明による乾電池収納装置の機器本体の外観を説明する図で（Ａ）は斜視図、（Ｂ）は分解斜視図、図２は本発明による乾電池収納装置の機器本体の構成部品を説明する分解斜視図、図３は本発明による乾電池収容装置の電池蓋の構成部品を説明する図で（Ａ）は組み上がり斜視図、（Ｂ）は分解斜視図、図４は本発明による乾電池収容装置の機器本体の電池蓋を取外した外観を説明する正面図である。
【００３２】
図５は本発明による乾電池収容装置に第三乾電池を収納した状態を説明する図で（Ａ）は図４のＡ−Ａ断面の矢印方向の概略断面図、（Ｂ）は図４のＢ−Ｂ断面の矢印方向の概略断面図、図６は本発明による乾電池収容装置に第二乾電池を収納した状態を説明する図で（Ａ）は図４のＡ−Ａ断面の矢印方向の概略断面図、（Ｂ）は図４のＢ−Ｂ断面の矢印方向の概略断面図、図７は本発明による乾電池収容装置に第一乾電池を収納した状態を説明する図で（Ａ）は図４のＡ−Ａ断面の矢印方向の概略断面図、（Ｂ）は図４のＣ−Ｃ断面の矢印方向の概略断面図である。
【実施例１】
【００３３】
本発明による乾電池収納装置は、例えば、電子機器本体に備え、直径、長さが異なる３種類の単一形乾電池、単二形乾電池、単三形乾電池のいずれかを選択的に２本ずつ収納するように構成されている。
【００３４】
なお、便宜上、前記単一形乾電池を第一乾電池、前記単二形乾電池を第二乾電池、前記単三形乾電池を第三乾電池として説明することとし、また、前記第一乾電池、前記第二乾電池、前記第三乾電池それぞれの直径と長さは、前記第一乾電池の直径をＲ１、長さをＬ１とし、前記第二乾電池の直径をＲ２、長さをＬ２とし、前記第三乾電池の直径をＲ３、長さをＬ３とすると、Ｌ２≒Ｌ３の条件で、Ｒ１＞Ｒ２＞Ｒ３、Ｌ１＞Ｌ２、Ｌ１＞Ｌ３の関係になる。
【００３５】
まず、図１（Ａ）及び（Ｂ）で示すように、電子機器本体１は、例えば、市町村防災無線システムで各家庭に設置される戸別受信機本体であり、前面ケース１ａと背面ケース１ｂが組み合わされた箱状に構成されている。
【００３６】
そして、前記前面ケース１ａに前記第一乾電池、前記第二乾電池、前記第三乾電池を収納する乾電池収納部２を備え、前記乾電池収納部２の前面に前記第一乾電池、前記第二乾電池、前記第三乾電池を出し入れする開口部３と、同開口部３を覆って、前記乾電池収納部２に収納される前記第一乾電池、前記第二乾電池、前記第三乾電池を押さえる電池蓋６を備えている。
【００３７】
また、前記乾電池収納部２の内部には、前記第三乾電池を保持する第一保持部材２ｄが設けられ、前記乾電池収納部２の両側に第一乾電池用負極端子４ａと第一乾電池用正極端子４ｂ、第二・第三乾電池用端子５ａと第二・第三乾電池用正極端子５ｂがそれぞれ設けられた構成となっている。
【００３８】
前記電子機器本体１を各部品に分解し説明すると、図２に示すように、前記乾電池収納部２を下部に備える前記前面ケース１ａと、前記第一乾電池、前記第二乾電池、前記第三乾電池のいずれか２種類の同時収納を防止する同時収納防止部材１ｃと、この同時収納防止部材１ｃを支持する支持部１ｄを備えた前記背面ケース１ｂと、前記第一保持部材２ｄと、前記第一乾電池用負極端子４ａと、前記第一乾電池用正極端子４ｂと、前記第二・第三乾電池用端子５ａと、前記第二・第三乾電池用正極端子５ｂとから構成されている。
【００３９】
そして、前記同時収納防止部材１ｃには、第一突出部１ｃａ、第二突出部１ｃｂ及び回動軸１ｃｃを備え、回動可能に前記支持部１ｄに支持されるようになっており、前記第一保持部材２ｄには、第三突出部２ｄａと回動軸２ｄｂを備えている。
【００４０】
次に、前記電池蓋６を各部品に分解し説明すると、図３（Ａ）及び（Ｂ）に示すように、乾電池カバー６ａと、この乾電池カバー６ａに係止され、前記乾電池収納部２に対向して設けられる乾電池押さえ部６ｂと、回動可能に支持され、前記単三形乾電池を保持する第二保持部材６ｃとから構成されている。
【００４１】
そして、前記乾電池押さえ部６ｂには、前記第一乾電池を押さえる第一押さえ部６ｂａと前記第二乾電池を押さえる第二押さえ部６ｂｂがそれぞれ設けられ、前記第一押さえ部６ｂａと前記第二押さえ部６ｂｂとの境界線６ｂｃ上の所定の位置に第二支持部６ｂｄを備えている。
【００４２】
また、前記第二保持部材６ｃには、第四突起部６ｃａと回動軸６ｃｂを備え、この回動軸６ｃｂが前記第二支持部６ｂｄに回動可能に支持されている。
【００４３】
次に、前記電子機器本体１を正面からみて説明すると、図４に示すように、前記前面ケース１ａの前記乾電池収納部２は、上部に前記第一乾電池を保持する第一保持部２ａと、下部に前記第二乾電池を保持する第二保持部２ｂを設けている。
【００４４】
前記第一保持部２ａの横幅の長さは、前記電子機器本体１の横方向に前記第一乾電池を２本直列に収納できる長さを有し、前記第二保持部２ｂの横幅の長さは、前記電子機器本体１の横方向に前記単二形乾電池を２本直列に収納できる長さを有している。
【００４５】
そして、前記第一保持部２ａと前記第二保持部２ｂとの境界線２ｃ上の所定の位置に第一支持部２ｅを備え、前記第一保持部材２ｄの前記回動軸２ｄｂが回動可能に前記第一支持部２ｅに支持されている。
【００４６】
前記第一保持部材２ｄの横幅は、前記第二保持部２ｂの横幅の長さより短く形成され、前記第三乾電池が前記第二乾電池と略同じ長さであるため、前記第二保持部２ｂ側で前記第一保持部材２ｄによって前記第三乾電池も２本直列に収納できるようになっている。
【００４７】
また、前記第一保持部材２ｄは、前記第一保持部２ａ側と前記第二保持部２ｂ側の収納空間を回動可能になっている。
【００４８】
更に、前記乾電池収納部２の左側面と右側面には、前記第一保持部２ａ側に前記第一乾電池用負極端子４ａと前記第一乾電池用正極端子４ｂを、前記第二保持部２ｂ側に前記第二・第三乾電池用負極端子５ａと前記第二・第三乾電池用正極端子５ｂがそれぞれ配設されている。
【００４９】
前記第一保持部２ａに第一開口部２ｆが設けられ、この第一開口部２ｆから前記同時収納防止部材１ｃを、図２に示すように、前記支持部１ｄのまわりに回動した時、前記第一突出部１ｃａが突出するようになっており、図４には示されていないが、前記第二保持部２ｂに第二開口部２ｇが設けられ、この第二開口部２ｇから前記同時収納防止部材１ｃを、図２に示すように、前記支持部１ｄのまわりに回動した時、前記第二突出部１ｃｂが突出するようになっている。
【００５０】
次に、以上説明してきた本発明による乾電池収納装置の前記乾電池収納部２に、前記第一乾電池、前記第二乾電池、前記第三乾電池のいずれかを２本ずつ収納し、前記電池蓋６で前記開口部３を覆った時の全体構造を図５に基づき説明し、前記第一乾電池、前記第二乾電池、前記第三乾電池のいずれかを２本ずつ収納した状態をそれぞれ図５乃至図７に基づいて説明する。
【００５１】
図５（Ａ）及び（Ｂ）に示すように、前記乾電池収納部２に設けた前記第一乾電池を保持する第一保持部２ａ及び前記第二乾電池を保持する第二保持部２ｂと、前記電池蓋６に設けた前記第一乾電池を押さえる第一押さえ部６ｂａ及び前記第二乾電池を押さえる第二押さえ部６ｂｂと、前記第一保持部２ａと前記第一押さえ部６ｂａで形成される第一収納領域と、前記第二保持部２ｂと前記第二押さえ部６ｂｂで形成される第二収納領域と、前記乾電池収納部２に設けた前記第二収納領域内で前記第三乾電池を保持する第一保持部材２ｄと、前記電池蓋６に設けた前記第二収納領域内で前記第三乾電池を保持する第二保持部材６ｃとを備えている。
【００５２】
そして、前記第一収納領域と前記第二収納領域の一部が互いに重なり合うように配置され、前記第一保持部材２ｄ及び前記第二保持部材６ｃが前記第一収納領域と前記第二収納領域を移動可能に支持される構成になっている。
【００５３】
また、図５（Ａ）及び（Ｂ）に示すように、前記第一保持部２ａ及び前記第一押さえ部６ｂａは、前記第一乾電池の外形に応じた曲面形状の凹部からなり、前記第二保持部２ｂ及び前記第二押さえ部６ｂｂは、前記第二乾電池の外形に応じた曲面形状の凹部からなっている。
【００５４】
前記第一保持部２ａと前記第二保持部２ｂとは前記境界線２ｃをはさんで連続的に形成され、数字の「３」のような断面となり、前記第一押さえ部６ｂａと前記第二押さえ部６ｂｂとは前記境界線６ｂｃで連続的に形成され、前記第一保持部２ａと前記第二保持部２ｂと対面する数字の「３」のような断面となっている。
【００５５】
前記第一保持部材２ｄに第一保持面２ｄｃを、前記第二保持部材６ｃに第二保持面６ｃｃをそれぞれ設け、前記第一保持部材２ｄの前記第一保持面２ｄｃ及び前記第二保持部材６の前記第二保持面６ｃｃは、例えば、前記第三乾電池の外形に応じた曲面形状の凹部からなっている。
【００５６】
前記第一保持部材２ｄは、その凹部による前記第三乾電池の前記第一保持面２ｄｃの中央付近に対し、前記第一保持面２ｄｃと反対方向に突出する第三突出部２ｄａが設けられ、また、前記第三乾電池の前記第一保持面２ｄｃの上端に対し、前記第一保持面２ｄｃと反対方向に延出された支柱に一体成形された前記回動軸２ｄｂが設けられている。
【００５７】
前記境界線２ｃ上の所定の位置に設けた前記第一支持部２ｅは溝が形成され、この溝の側面に前記回動軸２ｄｂが支持される孔を形成している。
【００５８】
前記回動軸２ｄｂは、前記第一保持部材２ｄの横方向に所定の間隔を保って２箇所設けられ、これに対応して前記境界線２ｃ上の所定の位置に前記第一支持部２ｅも２箇所設けられている。
【００５９】
また、同様にして、前記第二保持部材６ｃは、その凹部による前記第三乾電池の前記第二保持面６ｃｃの中央付近に対し、前記第二保持面６ｃｃと反対方向に突出する第四突出部６ｃａが設けられ、また、前記第三乾電池の前記第二保持面６ｃｃの上端に対し、前記第二保持面６ｃｃと反対方向に延出された支柱に一体成形された前記回動軸６ｃｂが設けられている。
【００６０】
前記境界線６ｂｃ上の所定の位置に設けた前記第二支持部６ｂｄは溝が形成され、この溝の側面に前記回動軸６ｃｂが支持される孔を形成している。
【００６１】
前記回動軸６ｃｂは、前記第二保持部材６ｃの横方向に所定の間隔を保って２箇所設けられ、これに対応して前記境界線６ｂｃ上の所定の位置に前記第二支持部６ｂｄも２箇所設けられている。
【００６２】
また、前記第一保持部２ａに前記第一開口部２ｆを、前記第二保持部２ｂに前記第二開口部２ｇをそれぞれ設けており、前記同時収納防止部材１ｃには、前記第一収納領域内に前記第一開口部２ｆから突出する前記第一突出部１ｃａと、前記第二収納領域内に前記第二開口部２ｇから突出する前記第二突出部１ｃｂを備えている。
【００６３】
前記同時収納防止部材１ｃは、前記第一収納領域に前記第一乾電池を収納した時、前記第二突出部１ｃｂが前記第二収納領域内に突出され、前記第二収納領域に前記第二乾電池を収納した時、前記第一突出部１ｃａが前記第一収納領域内に突出されるように回動可能に前記支持部１ｄに支持される。
【００６４】
前記同時収納防止部材１ｃは、図５（Ａ）及び（Ｂ）に示すように、  状の形状となっており、前記第一突出部１ｃａと前記第二突出部１ｃｂとを連結する連結部１ｃｄを備え、前記連結部１ｃｄの中央付近に前記回動軸１ｃｃが設けられている。
【００６５】
前記支持部１ｄは前記背面ケース１ｂの中央付近から所定の間隔を保って立設された２個の立設部が形成され、この立設部の側面に前記回動軸１ｃｃが支持される支軸部、例えば、孔が形成されている。
【００６６】
このように、前記第一保持部材２ｄ及び前記第二保持部材６ｃが前記第一収納領域と前記第二収納領域を移動可能に支持され、前記同時収納防止部材１ｃが、前記第一収納領域に前記第一乾電池を収納した時、前記第二突出部１ｃｂが前記第二収納領域内に突出され、前記第二収納領域に前記第二乾電池を収納した時、前記第一突出部１ｃａが前記第一収納領域内に突出されるように回動可能に支持された構成となっている。
【００６７】
次に、以上説明してきた本発明による乾電池収納装置に、前記第三乾電池を収納した状態を説明する。
【００６８】
前記第一保持部材２ｄを前記第二保持部２ｂ側に移動し、前記第二保持部材６ｃを前記第二押さえ部６ｂｂ側に移動して、前記第一保持部材２ｄの前記第一保持面２ｄｃと前記第二保持部材６ｃの前記第二保持面６ｃｃによって前記第三乾電池を挟持している。
【００６９】
この時、前記第二保持部材６ｃの前記第四突出部６ｃａは、前記第二押さえ部６ｂｂの凹部に当接しており、前記第二保持部材６ｃの保持状態を強固にして、前記第三乾電池の収納状態の安定性を良くしている。
【００７０】
また、前記同時収納防止部材１ｃは、前記第二突出部１ｃｂが前記第一保持部材２ｄの前記第三突出部２ｄａで押し当てられ、前記第一突出部１ｃａが前記第一収納領域内に突出される状態となっている。
【００７１】
よって、前記第一領域内に前記第一乾電池を収納したとしても、前記第一乾電池が前記電池蓋６の前記乾電池押さえ部６ｂに当接するものの、前記電池蓋２を完全に閉じることができないようになっているので、前記第三乾電池と前記第一乾電池の同時収納を防止することができる。
【００７２】
そして、同時収納を防止した結果、前記第一乾電池と前記第三乾電池同士で、流れる電流の差により充電されるのを防止し、前記第一乾電池と前記第三乾電池の不良発生を起こさないようにすることができる。
【００７３】
次に、以上説明してきた本発明による乾電池収納装置に、前記第二乾電池を収納した状態を説明する。
【００７４】
図６（Ａ）及び（Ｂ）に示すように、前記第一保持部材２ｄを前記第一保持部２ａ側に移動し、前記第二保持部材６ｃを前記第一押さえ部６ｂａ側に移動して、前記第二保持部２ｂと前記第二押さえ部６ｂｂによって前記第二乾電池を両側から固定している。
【００７５】
また、前記同時収納防止部材１ｃは、前記第二突出部１ｃｂが前記第二乾電池の外周で押し当てられ、前記第一突出部１ｃａが前記第一収納領域内に突出される状態となっている。
【００７６】
よって、前記第一保持部材２ｄと前記第二保持部材６ｃが前記第一収納領域に位置するとともに、前記第一突出部１ｃａが前記第一収納領域内に突出しているので、前記第二乾電池と前記第一乾電池の同時収納を防止することができる。
【００７７】
そして、同時収納を防止した結果、前記第一乾電池と前記第二乾電池同士で、流れる電流の差により充電されるのを防止し、前記第一乾電池と前記第二乾電池の不良発生を起こさないようにすることができる。
【００７８】
また、前記第一領域と前記第二領域が互いに重なり合うように配置されていることも、前記第二乾電池と前記第一乾電池の同時収納を防止する要因となっている。
【００７９】
次に、以上説明してきた本発明による乾電池収納装置に、前記第一乾電池を収納した状態を説明する。
【００８０】
図７（Ａ）及び（Ｂ）に示すように、前記第一保持部材２ｄを前記第二保持部２ｂ側に移動し、前記第二保持部材６ｃを前記第二押さえ部６ｂｂ側に移動して、前記第一保持部２ａと前記第一押さえ部６ｂａによって前記第一乾電池を両側から固定している。
【００８１】
また、前記同時収納防止部材１ｃは、前記第一突出部１ｃａが前記第一乾電池の外周で押し当てられ、前記第二突出部１ｃｂが前記第二収納領域内に突出される状態となり、前記第二突出部１ｃｂが前記第一保持部材２ｄの前記第三突出部２ｄａに押し当てられた状態となる。
【００８２】
よって、前記第一保持部材２ｄが前記第二保持部材６ｃよりも上に位置することとなって、前記第二収納領域内の前記第三乾電池を保持する空間が狭くなるので、前記第一乾電池と前記第三乾電池の同時収納を防止することができる。
【００８３】
そして、同時収納を防止した結果、前記第一乾電池と前記第三乾電池同士で、流れる電流の差により充電されるのを防止し、前記第一乾電池と前記第三乾電池の不良発生を起こさないようにすることができる。
【００８４】
仮に前記第三乾電池を収納したとしても、前記第一突出部１ｃａが前記第一収納領域内に突出されることになって、前記電池蓋６の前記乾電池押さえ部６ｂに前記第一乾電池が当り、前記電池蓋２を完全に閉じることができないようになっているので、前記第一乾電池と前記第三乾電池の同時収納を防止することができる。
【００８５】
また、本発明による乾電池収納装置は、前記第一保持部材２ｄに備えた前記支柱の側面が、前記第一乾電池を収納した時、前記第一乾電池の外周に当接するように、前記第三突出部２ｄａ、前記回動軸２ｄｂの位置や長さを設計した場合には、前記単一形乾電池の安定した収納状態を強化することができる。
【００８６】
これまで説明してきたように、本発明によれば、直径、長さが異なる３種類の乾電池のいずれも収納できるようにした乾電池収納装置において、乾電池の交換を容易にするとともに収納スペースの小型化を可能とし、前記乾電池収納装置内での乾電池の確実な保持を可能とした構造を実現することができる。
【００８７】
また、本発明によれば、前記第一乾電池を収納した時、前記第一保持部２ａと前記第一押さえ部６ｂａによって前記第一乾電池の確実な保持を実現することができ、前記第二乾電池を収納した時、前記第二保持部２ｂと前記第二押さえ部６ｂｂによって前記第二乾電池の確実な保持を実現することができ、前記第三乾電池を収納した時、前記第一保持部材２ｄの前記第一保持面２ｄｃと前記第二保持部材６ｃの前記第二保持面６ｃｃによって前記第三乾電池の確実な保持を実現することができる。
【００８８】
また、本発明によれば、前記第一保持部２ａ、前記第一押さえ部６ｂａ、前記第二保持部２ｂ、前記第二押さえ部６ｂｂ、前記第一保持部材２ｄ及び前記第二保持部材６ｃを、前記第一乾電池から前記第三乾電池それぞれの外形に応じた曲面形状としたことにより、前記第一乾電池から前記第三乾電池のそれぞれを，より確実な保持を実現することができる。
【００８９】
更に、本発明による前記乾電池収納装置を前記電子機器本体１に備えたことにより、前記電子機器本体１の小型化を実現することができる。
【００９０】
以上説明してきた実施例１では、直径、長さが異なる３種類の単一形乾電池、単二形乾電池、単三形乾電池のいずれかを選択的に２本ずつ収納するようにしたが、本発明はこれに限るものではなく、１本ずつ収納するようにした乾電池収納装置であってもよく、前記乾電池収納部２の横方向の長さを１本に対応した長さとすることにより実現できる。
【００９１】
また、以上説明してきた実施例１では、前記単一形乾電池を前記第一乾電池、前記単二形乾電池を前記第二乾電池、前記単三形乾電池を前記第三乾電池としたが、本発明はこれに限るものではなく、前記単四形乾電池を前記第一乾電池、前記単二形乾電池を前記第二乾電池、前記単三形乾電池を前記第三乾電池としてもよく、前記第一収納領域を形成する前記第一保持部２ａの横方向の長さを、前記単四形乾電池に対応した長さとし、前記第一保持部材２ｄ及び前記第二保持部材６ｃの横方向の長さも前記単四形乾電池に対応した長さとすることにより実現できる。
【００９２】
また、以上説明してきた実施例１では、前記同時収納防止部材１ｃを設けることにより、前記第一乾電池、前記第二乾電池、前記第三乾電池のいずれか２種類の同時収納を防止するようにしたが、本発明はこれに限るものではなく、前記同時収納防止部材１ｃを設けない乾電池収納装置であってもよく、この場合には、前記第一乾電池及び前記第三乾電池の同時収納ができるので、例えば、前記電子機器本体に備わった機能構成ごとに電源供給するなど、前記第一乾電池と前記第三乾電池により電源供給を区別した利用形態に実施することができる。
【００９３】
更に、本発明による乾電池収納装置は、前記乾電池収納部２と前記電池蓋６による構造を天地を反対に形成することにより、前記第一乾電池と前記第二乾電池及び前記第三乾電池の収納配置を反対にしても適用することができる。
【００９４】
また、本発明による乾電池収納装置は、前記電池蓋６の前記乾電池カバー６ａと前記乾電池押さえ部６ｂを別体としたが、本発明はこれに限るものでなく、前記乾電池カバー６ａと前記乾電池押さえ部６ｂが一体となった前記電池蓋６にしてもよい。
【図面の簡単な説明】
【００９５】
【図１】本発明による乾電池収納装置の機器本体の外観を説明する図で（Ａ）は斜視図、（Ｂ）は分解斜視図である。
【図２】本発明による乾電池収納装置の機器本体の構成部品を説明する分解斜視図である。
【図３】本発明による乾電池収容装置の電池蓋の構成部品を説明する図で（Ａ）は組み上がり斜視図、（Ｂ）は分解斜視図である。
【図４】本発明による乾電池収容装置の機器本体の電池蓋を取外した外観を説明する正面図である。
【図５】本発明による乾電池収容装置に第三乾電池を収納した状態を説明する図で（Ａ）は図４のＡ−Ａ断面の矢印方向の概略断面図、（Ｂ）は図４のＢ−Ｂ断面の矢印方向の概略断面図である。
【図６】本発明による乾電池収容装置に第二乾電池を収納した状態を説明する図で（Ａ）は図４のＡ−Ａ断面の矢印方向の概略断面図、（Ｂ）は図４のＢ−Ｂ断面の矢印方向の概略断面図である。
【図７】本発明による乾電池収容装置に第一乾電池を収納した状態を説明する図で（Ａ）は図  ４のＡ−Ａ断面の矢印方向の概略断面図、（Ｂ）は図４のＣ−Ｃ断面の矢印方向の概略断面図である。
【符号の説明】
【００９６】
１  電子機器本体
１ａ  前面ケース
１ｂ  背面ケース
１ｃ  同時収納防止部材
１ｃａ  第一突出部
１ｃｂ  第二突出部
１ｃｃ  回動軸
１ｃｄ  連結部
１ｄ  支持部
２  乾電池収納部
２ａ  第一保持部
２ｂ  第二保持部
２ｃ  境界線
２ｄ  第一保持部材
２ｄａ  第三突起部
２ｄｂ  回動軸
２ｄｃ  第一保持面
２ｅ  第一支持部
２ｆ  第一開口部
２ｇ  第二開口部
３  開口部
４ａ  第一乾電池用負極端子
４ｂ  第一乾電池用正極端子
５ａ  第二・第三乾電池用負極端子
５ｂ  第二・第三乾電池用正極端子
６  電池蓋
６ａ  乾電池カバー
６ｂ  乾電池押さえ部
６ｂａ  第一押さえ部
６ｂｂ  第二押さえ部
６ｂｃ  境界線
６ｂｄ  第二支持部
６ｃ  第二保持部材
６ｃａ  第二突出部
６ｃｂ  回動軸
６ｃｃ  第二保持面
【図１】
2006114460.tif 000003
【図２】
2006114460.tif 000004
【図３】
2006114460.tif 000005
【図４】
2006114460.tif 000006
【図５】
2006114460.tif 000007
【図６】
2006114460.tif 000008
【図７】
2006114460.tif 000009